(57)【要約】【課題】普通機と称されるパチンコ遊技機において、遊技者にとって有利な入賞順序となる少なくとも１つの入賞装置を示唆またはおよび報知する。また、該報知により遊技者にとって有利となる入賞順序の学習を可能にして、遊技者が遊技を行いながら興趣を持って遊技方法を習得できるパチンコ遊技機を提供する。【解決手段】    遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構１と、複数の進入穴および入賞装置のいずれか１つに進入および入賞した場合においては、役物の動作態様によって、遊技者にとって有利な入賞となる次に入賞すべき少なくとも１つの入賞装置を示唆することにより報知する報知手段９から成ることを特徴とするパチンコ遊技機。パチンコ遊技機。【選択図】図１２
2010125081.tif 000002
【特許請求の範囲】
【請求項１】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
複数の進入穴および入賞装置のいずれか１つに進入および入賞した場合においては、役物の動作態様によって、遊技者にとって有利な入賞となる次に入賞すべき少なくとも１つの入賞装置を示唆することにより報知する報知手段から成る
ことを特徴とするパチンコ遊技機。
【請求項２】
請求項１において、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
複数の進入穴からの遊技球の進入および入賞装置への入賞を検知して、検知情報を出力する検知手段と、
前記検知手段の検知情報に基づき複数の入賞装置のいずれか１つに入賞した場合においては、役物の動作態様によって、遊技者にとって有利な入賞となるように予め設定されている少なくとも１つの入賞装置を示唆することにより報知する報知手段から成る
ことを特徴とするパチンコ遊技機。
【請求項３】
請求項１または請求項２において、
前記検知手段が、前記複数の入賞装置の中で役割が同一のものの入賞を検出する、１つの入賞検知手段を備えている
ことを特徴とするパチンコ遊技機。
【請求項４】
請求項１ないし請求項３において、
前記複数の入賞装置が、第２種非電動役物によって構成される
ことを特徴とするパチンコ遊技機。
【請求項５】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
少なくとも１つの入賞装置の開閉状態を検知する開閉状態検知手段と、
前記開閉状態検知手段により検知された少なくとも１つの入賞装置の開閉状態に基づいて、役物の動作態様によって、前記複数の入賞装置への入賞において遊技者にとって有利な入賞となる少なくとも１つの入賞装置を示唆することにより報知する報知手段から成る
ことを特徴とするパチンコ遊技機。
【請求項６】
請求項５において、
前記報知手段が、前記開閉状態検知手段により検知された少なくとも１つの入賞装置の開閉状態に基づいて構成される入賞判定テーブルに従って、役物の動作態様によって、前記複数の入賞装置への入賞において遊技者にとって有利な入賞となる少なくとも１つの入賞装置を示唆することにより報知する
ことを特徴とするパチンコ遊技機。
【請求項７】
請求項１ないし請求項６のいずれかにおいて、
前記複数の入賞装置への入賞において遊技者にとって有利な入賞となる少なくとも１つの入賞装置を示唆する役物の動作態様の種類を設定する報知態様設定手段を備えた
ことを特徴とするパチンコ遊技機。
【請求項８】
請求項１ないし請求項７のいずれかにおいて、
前記複数の進入穴への遊技球の進入または前記入賞装置への入賞のタイミングに同期して前記報知態様設定手段が作動する
ことを特徴とするパチンコ遊技機。
【請求項９】
請求項１ないし請求項８のいずれかにおいて、
前記報知態様設定手段が遊技者が操作可能な操作ボタンによって構成されている
ことを特徴とするパチンコ遊技機。
【請求項１０】
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
入賞装置へ入賞した遊技球の動きに基づき作動して、役物の動作態様によって、前記複数の入賞装置への入賞において遊技者にとって有利な入賞となる次に入賞すべき少なくとも１つの入賞装置を示唆することにより報知する報知手段から成る
ことを特徴とするパチンコ遊技機。
【請求項１１】
請求項１０において、
前記報知手段が、前記遊技球の動きにより入賞した入賞装置を判別するとともに、次に入賞すべき入賞装置を判別する判別機構と、
前記判別機構の判別により、次に入賞すべき入賞装置を表示する表示役物から成る
ことを特徴とするパチンコ遊技機。
【請求項１２】
請求項１１において、
前記判別機構は、前記遊技球の落下位置によって揺動方向が異なる揺動部材によって構成されている
ことを特徴とするパチンコ遊技機。
【請求項１３】
請求項１１において、
前記判別機構は、前記遊技球が入賞した入賞装置によって回転方向が異なり、前記遊技球の供給導路を振り分ける回転機構によって構成されている
ことを特徴とするパチンコ遊技機。
【請求項１４】
請求項１ないし請求項１３のいずれかにおいて、
前記報知手段によって報知する役物の動作態様が、揺動動作またはおよび回転動作によって構成されている
ことを特徴とするパチンコ遊技機。
【請求項１５】
請求項１ないし請求項１４のいずれかにおいて、
前記報知手段によって報知する役物の動作態様が、直線動作またはおよび往復動作によって構成されている
ことを特徴とするパチンコ遊技機。
【発明の詳細な説明】
【技術分野】
【０００１】
本発明は、遊技球の入球しやすい拡開状態と、遊技球の入球しにくい閉鎖状態を備えた複数の入賞装置と、遊技球が複数の進入穴へ進入した時および入賞装置へ入賞した時に、入賞装置の拡開状態と閉鎖状態とを変換する変換機構を有するパチンコ遊技機において、遊技者にとって有利な入賞となる少なくとも１つの入賞装置を示唆する役物の動作態様によって報知するパチンコ遊技機に関するものである。
【背景技術】
【０００２】
従来より、パチンコ遊技機の構成および機能の複雑化に伴い、パチンコ遊技機の遊技方法については分かりづらいものとなっており、遊技者とりわけ初心の遊技者が安心して遊技を行えるために、どのように遊技方法を説明するのかがホール運営上重要な問題となっている。
【０００３】
特許文献１に記載のパチンコ遊技機は、大当り状態となる可能性が高くなった場合に役物を回転させて大当り予告を行うものであった。
【特許文献１】特開２０００−２０２１４１
【発明の開示】
【発明が解決しようとする課題】
【０００４】
上述したように一般に、普通機と称されるパチンコ遊技機については、入賞装置への入賞を契機として付与される入賞口への入賞に対して、遊技方法を熟知した遊技者と遊技方法を熟知していない遊技者とでは獲得賞球数に差異が生じる可能性が比較的高いものであるため、遊技者の熟練度による有利不利が顕著に現れるものであり、公平性が保たれた遊技環境を提供するために遊技方法の説明が重要課題とされている。
【０００５】
しかしながら、上記特許文献１に記載のパチンコ遊技機においては、図２５に示されるように、ゲーム表示部Ｄの表示状態が大当り状態となる可能性が高い時に、ワープ球センサＳによってパチンコ球が流下したことを検知すると役物Ａを回転させて大当り予告を行なうにすぎないものであり、役物装置に遊技球が入賞する前に、該複数の役物装置への入賞において遊技者にとって有利な入賞となる少なくとも１つの役物装置を報知することができないという問題があった。  
【０００６】
このためホールは、パチンコ遊技機についての小冊子を設置したり、遊技方法を記載したＰＯＰを別途作成したり、遊技者に対してホール従業員による遊技方法の説明を行なったりと、パチンコ遊技機の遊技方法の説明のために多くの手間と費用が必要とされていた。
【０００７】
そこで本発明者らは、遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構と、複数の進入穴および入賞装置のいずれか１つに進入および入賞した場合においては、役物の動作態様によって、遊技者にとって有利な入賞となる次に入賞すべき少なくとも１つの入賞装置を示唆することにより報知する報知手段から成るように構成するという本発明の技術的思想に着眼して、さらに研究開発を重ねた結果、遊技者が報知された役物の動作態様により前記複数の入賞装置への入賞において遊技者にとって有利な入賞となる次に入賞すべき少なくとも１つの入賞装置を知ることができるという目的を達成する本発明に到達した。
【課題を解決するための手段】
【０００８】
本発明（請求項１に記載の第１発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
複数の進入穴および入賞装置のいずれか１つに進入および入賞した場合においては、役物の動作態様によって、遊技者にとって有利な入賞となる次に入賞すべき少なくとも１つの入賞装置を示唆することにより報知する報知手段から成る
ものである。
【０００９】
本発明（請求項２に記載の第２発明）のパチンコ遊技機は、
前記第１発明において、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
複数の進入穴からの遊技球の進入および入賞装置への入賞を検知して、検知情報を出力する検知手段と、
前記検知手段の検知情報に基づき複数の入賞装置のいずれか１つに入賞した場合においては、役物の動作態様によって、遊技者にとって有利な入賞となるように予め設定されている少なくとも１つの入賞装置を示唆することにより報知する報知手段から成る
ものである。
【００１０】
本発明（請求項３に記載の第３発明）のパチンコ遊技機は、
前記第１発明または第２発明において、
前記検知手段が、前記複数の入賞装置の中で役割が同一のものの入賞を検知する１つの入賞検知手段を備えている
ものである。
【００１１】
本発明（請求項４に記載の第４発明）のパチンコ遊技機は、
前記第１発明ないし第３発明において、
前記複数の入賞装置が、第２種非電動役物によって構成される
ものである。
【００１２】
本発明（請求項５に記載の第５発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
少なくとも１つの入賞装置の開閉状態を検知する開閉状態検知手段と、
前記開閉状態検知手段により検知された少なくとも１つの入賞装置の開閉状態に基づいて、役物の動作態様によって、前記複数の入賞装置への入賞において遊技者にとって有利な入賞となる少なくとも１つの入賞装置を示唆することにより報知する報知手段から成る
ものである。
【００１３】
本発明（請求項６に記載の第６発明）のパチンコ遊技機は、
前記第５発明において、
前記報知手段が、前記開閉状態検知手段により検知された少なくとも１つの入賞装置の開閉状態に基づいて構成される入賞判定テーブルに従って、役物の動作態様によって、前記複数の入賞装置への入賞において遊技者にとって有利な入賞となる少なくとも１つの入賞装置を示唆することにより報知する
ものである。
【００１４】
本発明（請求項７に記載の第７発明）のパチンコ遊技機は、
前記第１発明ないし第６発明のいずれかにおいて、
前記複数の入賞装置への入賞において遊技者にとって有利な入賞となる少なくとも１つの入賞装置を示唆する役物の動作態様の種類を設定する報知態様設定手段を備えた
ものである。
【００１５】
本発明（請求項８に記載の第８発明）のパチンコ遊技機は、
前記第１発明ないし第７発明のいずれかにおいて、
前記複数の進入穴への遊技球の進入または前記入賞装置への入賞のタイミングに同期して前記報知態様設定手段が作動する
ものである。
【００１６】
本発明（請求項９に記載の第９発明）のパチンコ遊技機は、
前記第１発明ないし第８発明のいずれかにおいて、
前記報知態様設定手段が遊技者が操作可能な操作ボタンによって構成されている
ものである。
【００１７】
本発明（請求項１０に記載の第１０発明）のパチンコ遊技機は、
遊技球の入球しやすい拡開状態と、遊技球の入球しにくい閉鎖状態を備えた複数の入賞装置を有するパチンコ遊技機において、
遊技球が複数の進入穴へ進入した時および入賞装置へ入賞した時に、入賞装置の拡開状態と閉鎖状態とを変換する変換機構と、
入賞装置へ入賞した遊技球の動きに基づき作動して、役物の動作態様によって、前記複数の入賞装置への入賞において遊技者にとって有利な入賞となる次に入賞すべき少なくとも１つの入賞装置を示唆することにより報知する報知手段から成る
ものである。
【００１８】
本発明（請求項１１に記載の第１１発明）のパチンコ遊技機は、
前記第１０発明において、
前記報知手段が、前記遊技球の動きにより入賞した入賞装置を判別するとともに、次に入賞すべき入賞装置を判別する判別機構と、
前記判別機構の判別により、次に入賞すべき入賞装置を表示する表示役物から成る
ものである。
【００１９】
本発明（請求項１２に記載の第１２発明）のパチンコ遊技機は、
前記第１１発明において、
前記判別機構は、前記遊技球の落下位置によって揺動方向が異なる揺動部材によって構成されている
ものである。
【００２０】
本発明（請求項１３に記載の第１３発明）のパチンコ遊技機は、
前記第１１発明において、
前記判別機構は、前記遊技球が入賞した入賞装置によって回転方向が異なり、前記遊技球の供給導路を振り分ける回転機構によって構成されている
ものである。
【００２１】
本発明（請求項１４に記載の第１４発明）のパチンコ遊技機は、
前記第１発明ないし第１３発明のいずれかにおいて、
前記報知手段によって報知する役物の動作態様が、揺動動作またはおよび回転動作によって構成されている
ものである。
【００２２】
本発明（請求項１５に記載の第１５発明）のパチンコ遊技機は、
前記第１発明ないし第１４発明のいずれかにおいて、
前記報知手段によって報知する役物の動作態様が、直線動作またはおよび往復動作によって構成されている
ものである。
【発明の効果】
【００２３】
本発明（請求項１に記載の第１発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、遊技球が複数の進入穴および入賞装置のいずれか１つに進入および入賞した場合においては、前記報知手段が役物の動作態様によって、遊技者にとって有利な入賞となる次に入賞すべき少なくとも１つの入賞装置を示唆することにより報知するので、遊技者が報知された役物の動作態様により前記複数の入賞装置への入賞において遊技者にとって有利な入賞となる次に入賞すべき少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２４】
本発明（請求項２に記載の第２発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、前記検知手段が複数の入賞装置のいずれか１つへの入賞を検知した場合においては、前記報知手段が役物の動作態様によって、遊技者にとって有利な入賞となるように予め設定されている少なくとも１つの入賞装置を示唆することにより報知するので、遊技者が報知された役物の動作態様により前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２５】
本発明（請求項３に記載の第３発明）のパチンコ遊技機は、前記第１発明または第２発明において、前記１つの入賞検知手段が、前記複数の入賞装置の中で役割が同一のものへの入賞を検出するので、必要となる検知手段の数を削減することによりパチンコ遊技機の製造コストを低減できるという効果を奏する。
【００２６】
本発明（請求項４に記載の第４発明）のパチンコ遊技機は、前記第１発明ないし第３発明において、第２種非電動役物の中で役割が同一のものの入賞に対して１つの検知手段によって検出するので、必要となる検知手段の数を削減することによりパチンコ遊技機の製造コストを低減できるという効果を奏する。
ものである。
【００２７】
本発明（請求項５に記載の第５発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態と閉鎖状態とを変換するとともに、前記開閉状態検知手段により検知された少なくとも１つの入賞装置の開閉状態に基づいて、前記報知手段が役物の動作態様によって、前記複数の入賞装置への入賞において遊技者にとって有利な入賞となる少なくとも１つの入賞装置を示唆することにより報知するので、遊技者が報知された役物の動作態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２８】
本発明（請求項６に記載の第６発明）のパチンコ遊技機は、前記第５４発明において、前記報知手段が、前記開閉状態検知手段により検知された少なくとも１つの入賞装置の開閉状態に基づいて構成される入賞判定テーブルに従って、役物の動作態様によって、前記複数の入賞装置への入賞において遊技者にとって有利な入賞となる少なくとも１つの入賞装置を示唆することにより報知するので、遊技者が報知された役物の動作態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２９】
本発明（請求項７に記載の第７発明）のパチンコ遊技機は、前記第１発明ないし第６発明のいずれかにおいて、前記報知態様設定手段が、前記複数の入賞装置への入賞において遊技者にとって有利な入賞となる少なくとも１つの入賞装置を示唆する役物の動作態様の種類を設定するので、前記報知態様設定手段の作動を契機として報知する役物の動作態様の種類を変更するため、遊技者に興趣のある遊技を提供することができるという効果を奏する。
【００３０】
本発明（請求項８に記載の第８発明）のパチンコ遊技機は、前記第１発明ないし第７発明のいずれかにおいて、前記複数の進入穴への遊技球の進入または前記入賞装置への入賞のタイミングに同期して前記報知態様設定手段が作動するので、前記報知手段において報知される役物の動作態様の種類を明確にすることができるという効果を奏する。
【００３１】
本発明（請求項９に記載の第９発明）のパチンコ遊技機は、前記第１発明ないし第８発明のいずれかにおいて、遊技者が操作ボタンを操作することにより、遊技者の所望する役物の動作態様を選択することが可能であるので、遊技者の参加感を高めた興趣のある遊技を提供できるという効果を奏する。
【００３２】
本発明（請求項１０に記載の第１０発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴から遊技球が進入した時および入賞装置へ入賞した時に、前記入賞装置の拡開状態を閉鎖状態とを変換するとともに、前記入賞装置へ入賞した遊技球の動きに基づき作動する前記報知手段が役物の動作態様によって、前記複数の入賞装置への入賞において遊技者にとって有利な入賞となる次に入賞すべき少なくとも１つの入賞装置を示唆することにより報知するので、入賞検知手段を用いることなく安価な部品構成によって、遊技者が報知された役物の動作態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者が遊技を行いながら興趣を持って遊技方法を習得することが出来るという効果を奏する。
【００３３】
本発明（請求項１１に記載の第１１発明）のパチンコ遊技機は、前記第１０発明において、前記遊技球の動きにより入賞した入賞装置を判別するとともに、次に入賞すべき入賞装置を判別する判別機構の判別結果に基づいて、次に入賞すべき入賞装置を表示するので、入賞検知手段を用いることなく安価な部品構成によって、遊技者が報知された役物の動作態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者が遊技を行いながら興趣を持って遊技方法を習得することが出来るという効果を奏する。
【００３４】
本発明（請求項１２に記載の第１２発明）のパチンコ遊技機は、前記第１１発明において、前記判別機構が前記遊技球の落下位置によって揺動方向が異なる揺動部材によって判別するので、入賞検知手段を用いることなく安価な部品構成によって、前記複数の入賞装置への入賞において遊技者にとって有利な入賞となる少なくとも１つの入賞装置を判別することができるという効果を奏する。
【００３５】
本発明（請求項１３に記載の第１３発明）のパチンコ遊技機は、前記第１１発明において、前記判別機構が前記遊技球が入賞した入賞装置によって回転方向が異なり、前記遊技球の供給導路を振り分ける回転機構によって判別するので、入賞検知手段を用いることなく安価な部品構成によって、前記複数の入賞装置への入賞において遊技者にとって有利な入賞となる少なくとも１つの入賞装置を判別することができるという効果を奏する。
【００３６】
本発明（請求項１４に記載の第１４発明）のパチンコ遊技機は、前記第１発明ないし第１３発明のいずれかにおいて、前記報知手段が、役物の揺動動作またはおよび回転動作によって前記複数の入賞装置への入賞において遊技者にとって有利な入賞となる少なくとも１つの入賞装置を報知するので、遊技者が報知された役物の動作態様により興趣をもって遊技者にとって有利な入賞となる少なくとも１つの入賞装置を知ることができるという効果を奏する。
【００３７】
本発明（請求項１５に記載の第１５発明）のパチンコ遊技機は、前記第１発明ないし第１４発明のいずれかにおいて、前記報知手段が、役物の直線動作またはおよび往復動作によって前記複数の入賞装置への入賞において遊技者にとって有利な入賞となる少なくとも１つの入賞装置を報知するので、遊技者が報知された役物の動作態様により興趣をもって遊技者にとって有利な入賞となる少なくとも１つの入賞装置を知ることができるという効果を奏する。
【発明を実施するための最良の形態】
【００３８】
以下本発明の最良の実施の形態につき実施例に基づき、図面を用いて説明する。
【実施例１】
【００３９】
本第１実施例のパチンコ遊技機は前記第１発明ないし第４発明および第１５発明の実施例であり、第２種非電動役物１２ないし１５の左誘導部材および右誘導部材に誘導されて入賞した遊技球を検知する入賞検知手段２の検知出力に基づき、遊技者が視認可能な３つの覗き穴９８ａ、９８ｂおよび９８ｃを介して報知される上下方向に直線動作する報知役物９９の動作態様が設定されていて、前記３つの覗き穴９８ａ、９８ｂおよび９８ｃを介して報知される前記報知役物９９の動作態様が前記第２種非電動役物１２ないし１５への入賞において遊技者にとって有利となる１つないし３つの前記第２種非電動役物１２ないし１５を示唆すべく報知するように構成した点に特徴がある。
【００４０】
また、第２種非電動役物１２ないし１４の左誘導部材および右誘導部材に誘導されて入賞した遊技球を遊技盤１００の後方に形成された遊技球導出路において同一経路を通過するように構成して、該同一経路に入賞検知スイッチ２９を配設することにより、パチンコ遊技機製造に必要となる前記入賞検知スイッチの数を減らした点に特徴がある。
【００４１】
第１実施例のパチンコ遊技機は、図１ないし図１２に示されるように、遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構１と、入賞装置への入賞を検知して、入賞情報を出力する入賞検知手段２と、入賞検知手段の検知出力に基づき遊技者にとって有利な入賞となる１つないし３つの入賞装置を示唆する役物の動作態様によって報知する報知手段９を備えるものである。
【００４２】
第１実施例のパチンコ遊技機は、図１ないし図１２に示されるように遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２ないし１５が配設されている。
【００４３】
前記変換機構１は、遊技球の進入を検知して、前記第１種非電動役物および第２種非電動役物の誘導状態を変換する変換機構１０Ｔないし１５Ｔによって構成される。
【００４４】
前記入賞検知手段２は、各入賞装置への入賞を検知して入賞情報を出力する入賞検知スイッチ２０、２１、２５、２６、２７および２９によって構成される。
【００４５】
前記報知手段９は、前記入賞検知スイッチ２０、２１、２５、２６、２７および２９より出力された入賞情報に基づいて、前記入賞検知スイッチ毎に設定された高さになるように前記報知役物９９を駆動するソレノイド９９Ｓと、円柱状のロッド部材９６と、該円柱状のロッド部材９６の一定位置に○の形が描かれた報知図柄９７ａと、該円柱状のロッド部材９６の一定位置に←の形が描かれた報知図柄９７ｂおよび９７ｃとが配設された前記報知役物９９によって構成される。
【００４６】
なお、図２に示されるように、覗き穴９８ａは前記遊技盤１００の右側の前記入賞口１６および１７と同程度の高さの位置に配設され、覗き穴９８ｂは前記遊技盤１００の右側の前記第２種非電動役物１２、１３および１４と同程度の高さの位置に配設され、覗き穴９８ｃは前記遊技盤１００の右側の前記第２種非電動役物１５と同程度の高さの位置に配設されており、図１２（ｂ）に示されるように前記報知役物９９が前記ソレノイド９９Ｓの駆動力によって高さＭの位置に移動した場合には、前記○の形が描かれた報知図柄９７ａが前記覗き穴９８ａから臨み、前記報知役物９９が高さＬの位置に移動した場合には、前記←の形が描かれた報知図柄９７ｂが前記覗き穴９８ｂから臨み、前記報知役物９９が高さＨの位置に移動した場合には、前記←の形が描かれた報知図柄９７ｃが前記覗き穴９８ｃから臨むように構成されている。
【００４７】
第１実施例のパチンコ遊技機は、前記入賞検知スイッチ２０、２１、２５、２６、２７および２９より出力された入賞情報に基づいて同一または異なった役物の動作態様で報知する前記報知役物９９と、遊技球の進入によって前記第２種非電動役物１２ないし１５の一部を拡開状態へと変換する左ゲート３０、中ゲート３１および右ゲート３２と、前記第２種非電動役物１３の上入賞口への入賞を支持する下ゲート３３と、遊技盤１００の後方に形成された遊技球導出路を備えている。
【００４８】
前記第１種非電動役物１０は、図４または図５に示されるように略扇形状に形成され対向して揺動可能に配設された左誘導部材４０および右誘導部材４１と、変換機構１０Ｔにより構成されている。
【００４９】
前記変換機構１０Ｔは、前記左誘導部材４０および右誘導部材４１の閉鎖状態においては前記左誘導部材４０および右誘導部材４１の下端部に当接支持することにより前記左誘導部材４０および右誘導部材４１を閉鎖状態に維持させるロック部材４２と、前記ロック部材４２と一体的に形成され上入賞口より入賞した遊技球を遊技盤１００の後方に形成された遊技球導出路に誘導する第１のガイド部材４３と、前記ロック部材４２および第１のガイド部材４３と対向して平行に形成され、前記左誘導部材４０および右誘導部材４１の拡開状態において、前記左誘導部材４０および右誘導部材４１に誘導されて入賞した遊技球を遊技盤１００の後方に形成された遊技球導出路に誘導する第２のガイド部材４５と、前記第１のガイド部材４３の略中心位置に介挿され前記ロック部材４２と、第１のガイド部材４３、および第２のガイド部材４５の揺動動作を支持する略円柱状の支持部材４４により構成されている。
【００５０】
なお、前記左誘導部材４０および右誘導部材４１は、図４（ａ）に示されるようにその閉鎖状態において、前記第１種非電動役物１０の上入賞口より入賞した遊技球は前記第１のガイド部材４３上に落下して、図４（ｂ）に示されるように前記第１のガイド部材４３が前記支持部材４４を支点として図４中時計方向に揺動動作するため、前記第１のガイド部材４３と一体的に形成された前記ロック部材４２と前記左誘導部材４０および右誘導部材４１との間に介挿された当接状態が解除されることにより、前記左誘導部材４０および右誘導部材４１が自重により拡開状態に変換される。
【００５１】
なお、図５（ａ）に示されるように前記左誘導部材４０および右誘導部材４１の拡開状態において、前記左誘導部材４０および右誘導部材４１に誘導されて入賞した遊技球は前記第２のガイド部材４５上に落下して、図５（ｂ）に示されるように前記第２のガイド部材４５が前記支持部材４４を支点として図５中時計方向に揺動動作するため、前記第１のガイド部材４３と一体的に形成された前記ロック部材４２が前記左誘導部材４０および右誘導部材４１との間に介挿されて当接状態となることにより、前記左誘導部材４０および右誘導部材４１が閉鎖状態に変換される。
【００５２】
なお、以下の説明では図４および図５に示されるように遊技球の進入により左誘導部材および右誘導部材を閉鎖状態から拡開状態へと変換する変換機構における範囲を拡開落下点ＯＰとして表すとともに、左誘導部材および右誘導部材を拡開状態から閉鎖状態へと変換する変換機構における範囲を閉鎖落下点ＣＬとして表す。
【００５３】
前記第１種非電動役物１１および変換機構１１Ｔは前記第１種非電動役物１０および変換機構１０Ｔと同様の構成であるため説明を省略する。
【００５４】
前記第２種非電動役物１２は、図６ないし図９に示されるように略扇形状に形成された左誘導部材５０および右誘導部材５１と、変換機構１２Ｔにより構成されている。
【００５５】
前記変換機構１２Ｔは、前記左誘導部材５０および右誘導部材５１の閉鎖状態においては前記左誘導部材５０および右誘導部材５１の下端部に当接支持することにより前記左誘導部材５０および右誘導部材５１を閉鎖状態に維持させるロック部材５２と、前記ロック部材５２と一体的に形成され上入賞口より入賞して拡開落下点ＯＰに落下した遊技球を遊技盤１００の後方に形成された遊技球導出路に誘導する第１のガイド部材５３と、前記ロック部材５２および第１のガイド部材５３と対向して平行に形成され、前記左誘導部材５０および右誘導部材５１の拡開状態において、前記左誘導部材５０および右誘導部材５１に誘導されて入賞した遊技球を遊技盤１００の後方に形成された遊技球導出路に誘導する第２のガイド部材５５と、前記第１のガイド部材５３の略中心位置に介挿され前記ロック部材５２、第１のガイド部材５３、および第２のガイド部材５５の揺動動作を支持する略円柱状の支持部材５４と、前記第１のガイド部材５３の図中後方右端に穿設され後述する第２の左アーム５８の揺動動作を連絡する円柱状の連絡棒５６と、前記左ゲート３０および中ゲート３１を通過した遊技球の自重により押圧されて揺動し、一方の先端に前記第２の左アーム５８の歯部と噛み合う歯部を有する略くの字状の第１の左アーム５７と、一方の先端に前記第１の左アーム５７の歯部と噛み合う歯部を有するとともに他方の先端において図９に示されるように前記連絡棒５６と当接する突出部５９を備え、前記第１の左アーム５７が図中時計方向に揺動する場合には互いに噛み合う歯部において連絡して図中反時計方向に揺動する略Ｙの字状の第２の左アーム５８により構成されている。
【００５６】
なお、前記第２の左アーム５８が、図８（Ｂ）に示されるように遊技球の落下による前記第１の左アーム５７の時計方向の揺動に応じて中反時計方向に揺動することにより前記連絡棒５６が前記突出部５９によって図８（Ｂ）中下方に揺動されるので、図７に示されるように前記第１のガイド部材５３が前記支持部材５４を支点として図７中反時計方向に揺動するため、前記左誘導部材５０および右誘導部材５１の下部に介挿されている前記ロック部材５２のロック機構としての状態が解除され、前記左誘導部材５０および右誘導部材５１が拡開状態となる。
【００５７】
なお、上述したように図８（Ｂ）に示される前記左誘導部材５０および右誘導部材５１の拡開状態において、前記左誘導部材５０および右誘導部材５１に誘導されて入賞した遊技球は前記第２のガイド部材５５の閉鎖落下点ＣＬに落下して、前記第２のガイド部材５５が前記支持部材５４を支点として揺動動作するため前記第１のガイド部材５３と一体的に形成された前記ロック部材５２が前記左誘導部材５０および右誘導部材５１の下部に介挿され当接状態となることにより、前記左誘導部材５０および右誘導部材５１が閉鎖状態に変換される。
【００５８】
第２種非電動役物１４および変換機構１４Ｔは、前記第２種非電動役物１２および変換機構１２Ｔと左右対称に構成されており、基本構成が同様であるため説明および図示を省略する。すなわち、第２種非電動役物１４は上入賞口より入賞した場合に加え、前記中ゲート３１および右ゲート３２を遊技球が通過した場合に、該入賞した遊技球または通過した遊技球が前記第２種非電動役物１４における拡開落下点ＯＰに落下することにより拡開状態となるように構成されている。
【００５９】
なお、上記した前記変換機構１２Ｔにおいて図８（Ｂ）を用いた説明と同様に、前記第２種非電動役物１４は、左誘導部材および右誘導部材の拡開状態において、左誘導部材および右誘導部材に誘導されて入賞した遊技球は前記第２のガイド部材の閉鎖落下点ＣＬに落下して、第２のガイド部材が支持部材を支点として揺動動作するため記第１のガイド部材と一体的に形成されたロック部材が左誘導部材および右誘導部材の下部に介挿され当接状態となることにより、左誘導部材および右誘導部材が閉鎖状態に変換される。
【００６０】
第２種非電動役物１３は前記第１種非電動役物１０と基本構成が同様であるため、相違点を中心に説明する。
前記第２種非電動役物１３の変換機構１３Ｔの動作原理は、図１０に示されるように前記下ゲート３３に支持されるか、または直接上入賞口へ入賞した遊技球が拡開落下点ＯＰに落下することにより拡開状態に変換されるとともに、前記左ゲート３０、中ゲート３１および右ゲート３２に進入した遊技球が拡開落下点ＯＰに落下することにより拡開状態に変換されるものである。
【００６１】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００６２】
第２種非電動役物１５は前記第１種非電動役物１０と基本構成が同様であるため、相違点を中心に説明する。
前記第２種非電動役物１５の変換機構１５Ｔの動作原理は、前記第２種非電動役物１２、１３および１４の左誘導部材および右誘導部材に誘導されて入賞した遊技球が、図３に示されるように前記遊技盤１００の後方に形成された遊技球導出路を通って、前記第２種非電動役物１５の拡開落下点ＯＰに落下することにより拡開状態に変換されるものである。
【００６３】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００６４】
本第１実施例のパチンコ遊技機の制御システムは、図１１に示されるように、メイン制御基板８０に信号を出力する入賞検知手段２を構成する入賞検知スイッチ２０、２１、２５、２６、２７および２９と、メインＣＰＵ８１、メインＲＯＭ８２およびメインＲＡＭ８３を格納した前記メイン制御基板８０と、前記メイン制御基板８０からの信号を入力して前記ソレノイド９９Ｓに対して出力指令を出力する役物動作制御基板８４と、前記メイン制御基板８０からの信号を入力して賞球払出指令を出力する払出制御基板８５によって構成される。
【００６５】
以下において、本第１実施例における前記報知役物９９によって報知される役物の動作態様の決定制御について説明する。
【００６６】
本第１実施例のパチンコ遊技機における前記第１種非電動役物１０および１１に遊技球が入賞すると図１２（ａ）に示されるように前記入賞検知スイッチ２０および２１に対応して設定された役物の動作態様（サ）が前記報知役物９９によって報知される。同様に、入賞口１６および１７に遊技球が入賞すると前記入賞検知スイッチ２６および２７に対応して設定された役物の動作態様（サ）が前記報知役物９９によって報知される。
【００６７】
なお、本第１実施例のパチンコ遊技機では一例として、役物の動作態様（サ）については図１２（ｂ）に示されるように、前記ソレノイド９９Ｓの駆動力によって前記報知役物９９を高さＭの位置まで移動させるものとする。
【００６８】
一方、前記第２種非電動役物１２ないし１４の前記左誘導部材および右誘導部材に誘導されて遊技球が入賞すると、図１２（ａ）に示されるように前記入賞検知スイッチ２９に対応して設定された役物の動作態様（ア）が前記報知役物９９によって報知される。また、第２種非電動役物１５の前記左誘導部材および右誘導部材に誘導されて遊技球が入賞すると前記入賞検知スイッチ２５に対応して設定された役物の動作態様（イ）が前記報知役物９９によって報知される。
【００６９】
なお、本第１実施例のパチンコ遊技機においては一例として、役物の動作態様（ア）については図１２（ｂ）に示されるように、前記ソレノイド９９Ｓの駆動力によって前記報知役物９９を高さＨの位置まで移動させるもの、役物の動作態様（イ）については図１２（ｂ）に示されるように、前記ソレノイド９９Ｓの駆動力によって前記報知役物９９を高さＬの位置まで移動させるものとする。
【００７０】
すなわち、本第１実施例のパチンコ遊技機は、上述したように遊技者にとって有利となる順序で前記第２種非電動役物１２ないし１５の前記左誘導部材および右誘導部材に誘導されて遊技球が入賞すると、例えば前記第２種非電動役物１２ないし１４の前記左誘導部材および右誘導部材に誘導されて遊技球が入賞し、役物の動作態様（ア）によって前記覗き穴９８ｃに前記報知図柄９７ｃ臨ませることにより前記第２種非電動役物１５を示唆し、前記第２種非電動役物１５の前記左誘導部材および右誘導部材に誘導されて遊技球が入賞し、役物の動作態様（イ）によって前記覗き穴９８ｂに前記報知図柄９７ｂ臨ませることにより前記第２種非電動役物１２ないし１４を示唆し、前記第２種非電動役物１２ないし１４の前記左誘導部材および右誘導部材に誘導されて遊技球が入賞する等のように役物の動作態様（ア）と役物の動作態様（イ）が遊技者にとって有利な入賞順序となる１つないし３つの前記第２種非電動役物１２ないし１５を常に示唆すべく報知する構成となっている。
【００７１】
以下、上記構成および作用の本第１実施例のパチンコ遊技機の効果について説明する。
【００７２】
本第１実施例のパチンコ遊技機は、前記入賞検知スイッチ２０、２１、２５、２６、２７および２９が複数の入賞装置のいずれか１つへの入賞を検知した場合においては、前記報知手段９が遊技者にとって有利な入賞となるように予め設定されている１つないし３つの前記第２種非電動役物１２ないし１５を示唆する前記報知役物９９の動作態様によって報知するので、遊技者が報知された報知役物９９の動作態様により前記複数の入賞装置への入賞において遊技者にとって有利な入賞となる１つないし３つの入賞装置を知ることができるという効果を奏する。
【００７３】
また、本第１実施例のパチンコ遊技機は、報知された役物の動作態様によって遊技者にとって有利となる１つないし３つの前記第２種非電動役物１２ないし１５を示唆するため、遊技者に対して遊技者にとって有利となる入賞順序の学習を可能にすることができるので、遊技者が遊技を行いながら興趣を持って遊技方法を習得することができるという効果を奏する。
【００７４】
本第１実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの入賞検知手段によって検出したので、必要となる検知手段の数を削減することによりパチンコ遊技機の製造コストを低減することができるという効果を奏する。
【００７５】
本第１実施例のパチンコ遊技機は、前記報知役物９９が、役物の直線動作によって前記第２種非電動役物１２ないし１５への入賞において遊技者にとって有利な入賞となる１つないし３つの入賞装置を報知するので、遊技者が報知された役物の動作態様により興趣をもって遊技者にとって有利な入賞となる１つないし３つの前記第２種非電動役物１２ないし１５を知ることができるという効果を奏する。
【実施例２】
【００７６】
本第２実施例のパチンコ遊技機は、前記第１発明、第１０発明ないし第１２発明、および第１４発明の実施例であり、第２種非電動役物１２ないし１５の左誘導部材および右誘導部材に誘導されて入賞した遊技球の自重により作動して、揺動動作することにより報知する報知役物９９４の報知図柄９７２ｂおよび９７２ｃが遊技者にとって視認可能な２つの覗き穴９８ｂおよび９８ｃを介して報知されることにより、前記報知役物９９４の動作態様が、前記第２種非電動役物１２ないし１５への入賞において遊技者にとって有利となる１つないし３つの前記第２種非電動役物１２ないし１４または１５を示唆すべく報知するように構成されている点に特徴がある。
【００７７】
また、本第２実施例のパチンコ遊技機は、図１３に示されるように前記遊技盤１００の後方に形成された遊技球導出路２０２、２１２、２５２、２６２、２７２、２９２および３０２を通って、賞球払出制御を開始するための賞球払出スイッチＳを通過するように構成することにより、パチンコ遊技機製造に必要となる入賞検知スイッチの数を減らした点に特徴がある。なお、以下においては上述した第１実施例との相違点を中心に説明し、同様の構成または作用については同一符号を付して説明を省略する。
【００７８】
第２実施例のパチンコ遊技機は、図１ないし図１０、図１３および図１４に示されるように、遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構１と、前記入賞装置への入賞した遊技球の自重により作動して、揺動動作することにより報知して遊技者にとって有利な入賞となる１つないし３つの入賞装置を示唆する役物の動作態様によって報知する報知役物９９４を備えるものである。
【００７９】
前記遊技球導出路２０２は、前記第１種非電動役物１０へ入賞した遊技球および前記第２種非電動役物１２の上入賞口より入賞した遊技球が通って前記賞球払出スイッチＳへと連絡しており、前記遊技球導出路２１２は、前記第１種非電動役物１１へ入賞した遊技球および前記第２種非電動役物１４の上入賞口より入賞した遊技球が通って前記賞球払出スイッチＳへと連絡しており、前記遊技球導出路２５２は、前記第２種非電動役物１５の左誘導部材および右誘導部材に誘導されて入賞した遊技球が通って前記賞球払出スイッチＳへと連絡している。前記遊技球導出路２６２は、前記入賞口１６へ入賞した遊技球が通って前記賞球払出スイッチＳへと連絡しており、前記遊技球導出路２７２は、前記入賞口１７へ入賞した遊技球が通って前記賞球払出スイッチＳへと連絡しており、前記遊技球導出路２９２は、前記第２種非電動役物１２ないし１４の左誘導部材および右誘導部材に誘導されて入賞した遊技球および、前記第２種非電動役物１５の上入賞口より入賞した遊技球が通って前記賞球払出スイッチＳへと連絡しており、前記遊技球導出路３０２は、前記第２種非電動役物１３の上入賞口より入賞した遊技球が通って前記賞球払出スイッチＳへと連絡している。
【００８０】
前記報知役物９９４は、図１３および図１４に示されるように、↑の形が描かれた報知図柄９７２ｂと、↓の形が描かれた報知図柄９７２ｃと、先端部に該報知図柄９７２ｂおよび９７２ｃを配設した支持部材２０１と、前記遊技球導出路２５２と遊技球導出路２９２の中間に位置して揺動動作する前記支持部材２０１を遊技盤１００に固定する固定部材２０３と、該固定部材２０３を均衡の位置として左右の重量を揃えるためのバランスウェイトＢによって構成されている。なお、前記固定部材２０３と前記支持部材２０１との連結は一定量の抵抗が付加されており、前記支持部材２０１が遊技球の自重による押圧等の外部から力が加えられた時には移動するが、外部から力が加えられていない時には移動しないように構成されている。
【００８１】
なお、図２に示されるように、覗き穴９８ｂは前記遊技盤１００の右側の前記第２種非電動役物１２、１３および１４と同程度の高さの位置に配設され、覗き穴９８ｃは前記遊技盤１００の右側の前記第２種非電動役物１５と同程度の高さの位置に配設されており、図１４（ａ）に示されるように遊技球が前記遊技球導出路２９２を通って前記支持部材２０１の落下点２９２Ｐに落下した時には、遊技球の自重によって前記支持部材２０１が図中反時計方向に押圧されて、前記↓の形が描かれた報知図柄９７２ｃが前記覗き穴９８ｃから臨み、図１４（ｂ）に示されるように遊技球が前記遊技球導出路２５２を通って前記支持部材２０１の落下点２５２Ｐに落下した時には、遊技球の自重によって前記支持部材２０１が図中時計方向に押圧されて、前記↑の形が描かれた報知図柄９７２ｂが前記覗き穴９８ｂから臨むように構成されている。
【００８２】
なお、落下点２５２Ｐおよび２９２Ｐにおいて前記支持部材２０１に接した遊技球は図１４（ａ）および（ｂ）に示される位置まで前記支持部材２０１を押圧すると、遊技球ループ入口ＥＮへと進入して遊技球ループ出口ＥＸへと誘導され、前記支持部材２０１と接することなく図中下方の賞球払出スイッチＳへと向かう。また、遊技球導出路２０２、２１２、２６２、２７２、３０２については前記支持部材２０１と接触しない位置に配設されている。
【００８３】
以下において、本第２実施例における前記報知役物９９４によって報知される役物の動作態様について説明する。
【００８４】
本第２実施例のパチンコ遊技機における前記第１種非電動役物１０および１１に遊技球が入賞すると遊技球導出路２０２および２１２は前記支持部材２０１と接触しない位置に配設されているため、前記報知役物９９４は移動しない。同様に、前記入賞口１６および１７に遊技球が入賞すると遊技球導出路２６２および２７２は前記支持部材２０１と接触しない位置に配設されているため、前記報知役物９９４は移動しない。
【００８５】
一方、前記第２種非電動役物１２ないし１４の前記左誘導部材および右誘導部材に誘導されて遊技球が入賞すると図１４（ａ）に示されるように遊技球が前記遊技球導出路２９２を通って落下点２９２Ｐにおいて前記支持部材２０１を図中反時計方向に押圧することによって前記↓の形が描かれた報知図柄９７２ｃが前記覗き穴９８ｃを介して報知される。また、第２種非電動役物１５の前記左誘導部材および右誘導部材に誘導されて遊技球が入賞すると図１４（ｂ）に示されるように遊技球が前記遊技球導出路２５２を通って落下点２５２Ｐにおいて前記支持部材２０１を図中時計方向に押圧することによって前記↑の形が描かれた報知図柄９７２ｂが前記覗き穴９８ｂを介して報知される。  
【００８６】
すなわち、本第２実施例のパチンコ遊技機は上述したように遊技者にとって有利となる順序で前記第２種非電動役物１２ないし１５の前記左誘導部材および右誘導部材に誘導されて遊技球が入賞すると、例えば前記第２種非電動役物１２ないし１４の前記左誘導部材および右誘導部材に誘導されて遊技球が入賞すると、前記覗き穴９８ｃに前記報知図柄９７２ｃ臨ませることにより前記第２種非電動役物１５を示唆し、前記第２種非電動役物１５の前記左誘導部材および右誘導部材に誘導されて遊技球が入賞すると、前記覗き穴９８ｂに前記報知図柄９７２ｂ臨ませることにより前記第２種非電動役物１２ないし１４を示唆し、前記第２種非電動役物１２ないし１４の前記左誘導部材および右誘導部材に誘導されて遊技球が入賞する等のように遊技者にとって有利な入賞順序となる１つないし３つの前記第２種非電動役物１２ないし１４または１５を常に示唆すべく報知する構成となっている。
【００８７】
以下、上記構成および作用の本第２実施例のパチンコ遊技機の効果について説明する。
【００８８】
本第２実施例のパチンコ遊技機は、前記第２種非電動役物１２ないし１５の前記左誘導部材および右誘導部材に誘導されて入賞した遊技球の自重により作動する前記報知役物９９４が、前記第２種非電動役物１２ないし１５への入賞において遊技者にとって有利な入賞となる１つないし３つの前記第２種非電動役物１２ないし１４または１５を示唆する役物の動作態様によって報知するので、入賞検知手段を用いることなく安価な部品構成によって、遊技者が報知された役物の動作態様によって前記第２種非電動役物１２ないし１５への入賞において遊技者にとって有利な入賞となる１つないし３つの入賞装置を知ることができるという効果を奏する。
【００８９】
また、本第２実施例のパチンコ遊技機は、報知された役物の動作態様によって遊技者にとって有利となる１つないし３つの前記第２種非電動役物１２ないし１４または１５を示唆するため、遊技者に対して遊技者にとって有利となる入賞順序の学習を可能にすることができるので、遊技者が遊技を行いながら興趣を持って遊技方法を習得することができるという効果を奏する。
【００９０】
本第２実施例のパチンコ遊技機は、前記第２種非電動役物１２ないし１４の前記左誘導部材および右誘導部材に誘導されて入賞した遊技球を前記遊技盤１００の後方に形成された遊技球導出路２９２において同一経路を通過するように構成したので、前記複数の入賞装置の中で役割が同一の入賞装置への入賞を１つの遊技球導出路によって検出したので、必要となる遊技球導出路の数を削減することによりパチンコ遊技機の製造コストを低減することができるという効果を奏する。
【００９１】
また、本第２実施例のパチンコ遊技機は、前記遊技盤１００の後方に形成された遊技球導出路２０２、２１２、２５２、２６２、２７２、２９２および３０２を通って、賞球払出制御を開始するための賞球払出スイッチＳを通過するように構成したので、パチンコ遊技機製造に必要となる入賞検知スイッチの数を削減することによりパチンコ遊技機の製造コストを低減することができるという効果を奏する。
【００９２】
本第２実施例のパチンコ遊技機は、前記報知役物９９４が、役物の揺動動作によって前記第２種非電動役物１２ないし１５への入賞において遊技者にとって有利な入賞となる１つないし３つの入賞装置を報知するので、遊技者が報知された役物の動作態様により興趣をもって遊技者にとって有利な入賞となる１つないし３つの前記第２種非電動役物１２ないし１４または１５を知ることができるという効果を奏する。
【実施例３】
【００９３】
本第３実施例のパチンコ遊技機は前記第１発明および第１０発明ないし第１４発明の実施例であり、上の段の第２種非電動役物１２ないし１４の左誘導部材および右誘導部材に誘導されて入賞した遊技球が遊技球導出路２９２を移動して落下することにより、または下の段の第２種非電動役物１５の左誘導部材および右誘導部材に誘導されて入賞した遊技球が遊技球導出路２５２を移動して落下することにより、その自重により作動して、異なった方向に回転部材９９６が回転動作することによって、回転連絡機構７によって回転動作が連絡して前記回転部材９９６と同方向に回転する回転ギア１００１Ｇと一体となって回転して報知する回転式報知役物９９５上に配設された「下」の報知図柄９７５ａおよび「上」の報知図柄９７５ｂが、遊技者にとって視認可能な前記遊技盤１００の上方中央部に配設された報知窓としての透明なクリアプレート９８２を介して報知されることにより、前記回転式報知役物９９５の動作態様が前記第２種非電動役物１２ないし１５への入賞において遊技者にとって有利となる１つないし３つの前記第２種非電動役物１２ないし１４または１５への入賞を示唆すべく報知するように構成した点を特徴とする。
【００９４】
また、本第３実施例のパチンコ遊技機は、図１３に示されるように前記遊技盤１００の後方に形成された遊技球導出路２０２、２１２、２５２、２６２、２７２、２９２および３０２を通って、賞球払出制御を開始するための賞球払出スイッチＳを通過するように構成することにより、パチンコ遊技機製造に必要となる入賞検知スイッチの数を減らした点に特徴がある。なお、以下においては上述した第１実施例および第２実施例との相違点を中心に説明し、同様の作用または構成については同一符号を付して説明を省略する。
【００９５】
第３実施例のパチンコ遊技機は、図１ないし図１０、図１３、図１６および図１７に示されるように、遊技球の入球しやすい拡開状態と、遊技球の入球しにくい閉鎖状態を備えた複数の入賞装置を有するパチンコ遊技機において、複数の進入穴からの遊技球の進入および入賞装置への入賞に基づき、入賞装置の拡開状態と閉鎖状態とを変換する変換機構１と、前記入賞装置への入賞した遊技球の自重により作動して、回転動作することにより報知して遊技者にとって有利な入賞となる１つないし３つの入賞装置を示唆する役物の動作態様によって報知する回転式報知役物９９５を備えるものである。
【００９６】
前記回転式報知役物９９５は、図１７に示されるように前記遊技盤１００の上方中央部の前記クリアプレート９８２の裏側に配設され、遊技球導出路２５２を通った遊技球を受容する受容部材２５２Ｃおよび遊技球導出路２９２を通った遊技球を受容する受容部材２９２Ｃを備えた回転部材９９６が回転動作することによって、前記回転連絡機構７によって回転動作が連絡して前記回転部材９９６と同方向に回転する回転ギア１００１Ｇと一体となって回転して前記回転式報知役物９９５上に配設された「下」の報知図柄９７５ａおよび「上」の報知図柄９７５ｂによって、遊技者にとって有利となる１つないし３つの第２種非電動役物１２ないし１５を示唆すべく報知する構成となっている。
【００９７】
なお、前記受容部材２５２Ｃおよび２９２Ｃの回転範囲を規制するための制止部材２５２Ｓおよび２９２Ｓを備えている。また、前記回転部材９９６の回転動作には一定量の抵抗が付与されており、前記受容部材２５２Ｃまたは２９２Ｃが遊技球の自重による押圧等の外部から力が加えられた時には移動するが、外部から力が加えられていない時には移動しない構成となっている。
【００９８】
前記回転連絡機構７は、前記回転部材９９６と一体となって回転する回転ギア９９６Ｇと、該回転ギア９９６Ｇと噛み合う歯部が内面に形成された連結ベルト９９６Ｂによって連絡された回転ギア９９７Ｇと、当該回転ギア９９７Ｇと一体となって回転する回転ギア９９８Ｇと、該回転ギア９９８Ｇと噛み合う歯部が内面に形成された連結ベルト９９８Ｂによって連絡された回転ギア９９９Ｇと、当該回転ギア９９９Ｇと一体となって回転する回転ギア１０００Ｇと、該回転ギア１０００Ｇと噛み合う歯部が内面に形成された連結ベルト１０００Ｂによって連絡された回転ギア１００１Ｇとによって構成されている。
【００９９】
なお、図１６に示されるように、報知窓としての前記クリアプレート９８２は前記遊技盤１００の上方中央部に配設されており、図１７（ａ）に示されるように、遊技球が前記遊技球導出路２９２を通って前記受容部材２９２Ｃに受容された時には、遊技球の自重によって前記回転部材９９６および前記回転ギア９９６Ｇが図中反時計方向に回転して、前記回転連絡機構７によって回転動作が連絡して前記回転部材９９６と同方向に回転する回転ギア１００１Ｇと一体となって回転する回転式報知役物９９５の「下」と描かれた報知図柄９７５ａが前記クリアプレート９８２に対向する位置で停止する。また図１７（ｂ）に示されるように、遊技球が前記遊技球導出路２５２を通って前記受容部材２５２Ｃに受容された時には、遊技球の自重によって前記回転部材９９６および前記回転ギア９９６Ｇが図中時計方向に回転して、前記回転連絡機構７によって回転動作が連絡して前記回転部材９９６と同方向に回転する回転ギア１００１Ｇと一体となって回転する回転式報知役物９９５の「上」と描かれた報知図柄９７５ｂが前記クリアプレート９８２に対向する位置で停止するように構成されている。
【０１００】
なお、受容部材２５２Ｃまたは２９２Ｃにおいて前記受容部材２５２Ｃまたは２９２Ｃに受容された遊技球は図１７（ａ）および（ｂ）に示される位置まで前記回転部材９９６を押圧回転すると、前記受容部材２５２Ｃまたは２９２Ｃと前記制止部材２５２Ｓまたは２５２Ｓが接触した位置において再び遊技球導出路２５２または２９２の下流側部位２５２Ｄ、２９２Ｄへと誘導供給され、図中下方の賞球払出スイッチＳへと向かう。
【０１０１】
以下において、上記構成の本第３実施例における前記回転式報知役物９９５によって報知される役物の動作態様を説明する。
【０１０２】
本第３実施例のパチンコ遊技機における前記第１種非電動役物１０および１１に遊技球が入賞すると遊技球が移動する遊技球導出路２０２および２１２は前記回転部材９９６の前記受容部材２５２Ｃおよび２９２Ｃに連絡していないため、前記回転式報知役物９９５は回転しない。同様に、前記入賞口１６および１７に遊技球が入賞すると遊技球が移動する遊技球導出路２６２および２７２は前記回転部材９９６の前記受容部材２５２Ｃおよび２９２Ｃに連絡していないため、前記回転式報知役物９９５は回転しない。
【０１０３】
一方、前記第２種非電動役物１２ないし１４の前記左誘導部材および右誘導部材に誘導されて遊技球が入賞すると、図１７（ａ）に示されるように遊技球導出路２９２を介して移動した遊技球が前記回転部材９９６および受容部材２９２Ｃを図中反時計方向に押圧回転させることによって、前記回転連絡機構７を介して回転動作が連絡され前記回転部材９９６と同方向に回転する回転ギア１００１Ｇと一体となって回転する回転式報知役物９９５の「下」と描かれた報知図柄９７５ａが透明な前記クリアプレート９８２を介して報知される。また、第２種非電動役物１５の前記左誘導部材および右誘導部材に誘導されて遊技球が入賞すると、図１７（ｂ）に示されるように遊技球が前記回転部材９９６および受容部材２５２Ｃを図中時計方向に押圧回転させることによって、前記回転連絡機構７を介して回転動作が連絡して前記回転部材９９６と同方向に回転する回転ギア１００１Ｇと一体となって回転する回転式報知役物９９５の「上」と描かれた報知図柄９７５ｂが報知窓としての透明な前記クリアプレート９８２を介して報知される。
【０１０４】
以下、上記構成および作用の本第３実施例のパチンコ遊技機の効果について説明する。
【０１０５】
本第３実施例のパチンコ遊技機は、前記第２種非電動役物１２ないし１５の前記左誘導部材および右誘導部材に誘導されて入賞した遊技球の自重により作動する前記回転式報知役物９９５が、前記第２種非電動役物１２ないし１５への入賞において遊技者にとって有利な入賞となる１つないし３つの前記第２種非電動役物１２ないし１４または１５を示唆する役物の動作態様によって報知するので、入賞検知手段を用いることなく安価な部品構成によって、遊技者が報知された役物の動作態様によって前記第２種非電動役物１２ないし１５への入賞において遊技者にとって有利な入賞となる１つないし３つの入賞装置を知ることができるという効果を奏する。
【０１０６】
また、本第３実施例のパチンコ遊技機は、報知された役物の動作態様によって遊技者にとって有利となる１つないし３つの前記第２種非電動役物１２ないし１４または１５を示唆するため、遊技者に対して遊技者にとって有利となる入賞順序の学習を可能にすることができるので、遊技者が遊技を行いながら興趣を持って遊技方法を習得することができるという効果を奏する。
【０１０７】
本第３実施例のパチンコ遊技機は、前記第２種非電動役物１２ないし１４の前記左誘導部材および右誘導部材に誘導されて入賞した遊技球を前記遊技盤１００の後方に形成された遊技球導出路２９２において同一経路を通過するように構成したので、前記複数の入賞装置の中で役割が同一の入賞装置への入賞を１つの遊技球導出路によって検出したので、必要となる遊技球導出路の数を削減することによりパチンコ遊技機の製造コストを低減することができるという効果を奏する。
【０１０８】
また、本第３実施例のパチンコ遊技機は、前記遊技盤１００の後方に形成された遊技球導出路２０２、２１２、２５２、２６２、２７２、２９２および３０２を通って、賞球払出制御を開始するための賞球払出スイッチＳを通過するように構成したので、パチンコ遊技機製造に必要となる入賞検知スイッチの数を削減することによりパチンコ遊技機の製造コストを低減することができるという効果を奏する。
【０１０９】
本第３実施例のパチンコ遊技機は、前記回転式報知役物９９５が、役物の回転動作によって前記第２種非電動役物１２ないし１５への入賞において遊技者にとって有利な入賞となる１つ（第２種非電動役物１５）または３つ（第２種非電動役物１２ないし１４）の入賞装置を報知するので、遊技者が報知された役物の動作態様により興趣をもって遊技者にとって有利な入賞となる１つないし３つの前記第２種非電動役物１２ないし１５を知ることができるという効果を奏する。
【０１１０】
本第３実施例のパチンコ遊技機は、前記遊技盤１００の略上方中央部に前記回転式報知役物９９５の報知図柄の「上」または「下」を表示可能にする透明な前記クリアプレート９８２を配設したので、遊技者は透明な前記クリアプレート９８２を介して報知されている「上」または「下」の報知図柄に従い所望する流下経路へ遊技球を打ち出すための操作ハンドルの調整を行いながら遊技者にとって有利な入賞となる少なくとも１つの前記第２種非電動役物１２ないし１５を示唆する前記回転式報知役物９９５の報知図柄を確認することができるという効果を奏する。
【０１１１】
さらに本第３実施例のパチンコ遊技機は、前記回転部材９９６と前記回転報知役物９９５としての回転部材との間を複数のギアと噛み合うベルトより成る前記回転連絡機構７により連絡するようにしたので、前記回転部材９９６と回転式報知役物９９５の配設位置の自由度が高まり、任意の位置に配設することを可能にするという効果を奏する。
【実施例４】
【０１１２】
本第４実施例のパチンコ遊技機は、前記第１発明、第５発明、第６発明および第１４発明の実施例であり、前記第２種非電動役物１２ないし１５の開閉状態を検知する開閉状態検知手段９２を備え、前記開閉状態検知手段９２による前記第２種非電動役物１２ないし１５の開閉状態の検知出力に基づいて遊技者にとって有利な入賞となる少なくとも１つの前記第２種非電動役物１２ないし１５を判定する判定手段９４における判定結果に基づいて回転式報知役物９９２の表示部分が異なるような回転式報知役物９９２の動作態様によって報知するように構成されている点が、上述の第１実施例ないし第３実施例との主な相違点であり、以下相違点を中心に説明する。なお、本第４実施例のパチンコ遊技機においては図１６に示されるように、遊技盤２００の略上方中央部に回転式報知役物９９２の動作態様および表示部分を遊技者に視認可能とするためのクリアプレート９８２が配設されている。
【０１１３】
第４実施例のパチンコ遊技機は、図１８ないし図２１に示されるように前記第２種非電動役物１２ないし１５の開閉状態を検知する開閉状態検知手段９２と、前記開閉状態検知手段９２における検知出力に基づいて構成される入賞判定テーブル９３に従って、前記第２種非電動役物１２ないし１５への入賞が遊技者にとって有利となる少なくとも１つの前記第２種非電動役物１２ないし１５を判定する判定手段９４と、前記判定手段９４における判定結果に基づいて前記第２種非電動役物１２ないし１５に対応した回転式報知役物９９２の動作態様を出力する報知手段９と、前記第２種非電動役物１２ないし１５への入賞を検知して入賞情報を出力する入賞検知スイッチ２２ないし２５と、遊技球の進入によって前記第２種非電動役物１２ないし１５の一部を拡開状態へと変換する左ゲート３０、中ゲート３１および右ゲート３２を備えている。
【０１１４】
前記回転式報知役物９９２は、ステッピングモータ９９２Ｍの駆動力により回転動作して図２０に示されるような９つの表示面を表示可能な構成となっている。なお、前記第２種非電動役物１２の正面部にはじゃんけんゲームにおいて「グー」として知られる図柄が描かれ、前記第２種非電動役物１３の正面部にはじゃんけんゲームにおいて「チョキ」として知られる図柄が描かれ、前記第２種非電動役物１４の正面部にはじゃんけんゲームにおいて「パー」として知られる図柄が描かれ、前記第２種非電動役物１５の正面部にはＶの字状の図柄が描かれており、前記回転式報知役物９９２の９つの表示面によって前記第２種非電動役物１２ないし１５を示唆できるように構成されている。また、本第４実施例のパチンコ遊技機では一例として表示面１および表示面９を表示する際には前記ステッピングモータ９９２Ｍの駆動により前記回転式報知役物９９２を所定角度だけ右回転して、該当する表示面を表示するものとして、表示面２ないし表示面８を表示する際には前記ステッピングモータ９９２Ｍの駆動により前記回転式報知役物９９２を所定角度だけ左回転して、該当する表示面を表示するものとする。なお、前記回転式報知役物９９２の形状は図２３（ｂ）に示されるような正９角形状である。
【０１１５】
前記開閉状態検知手段９２は、前記第２種非電動役物１２の開閉状態を検知する開閉状態検知装置１１２、前記第２種非電動役物１３の開閉状態を検知する開閉状態検知装置１１３、前記第２種非電動役物１４の開閉状態を検知する開閉状態検知装置１１４および前記第２種非電動役物１５の開閉状態を検知する開閉状態検知装置１１５により構成される。
【０１１６】
前記開閉状態検知装置１１２は、図１９（ａ）に示されるように、前記遊技盤２００の裏面に前記第２種非電動役物１２に対して一定距離下方に離して配設され、一端が固着されたバネ部材より成る薄板矩形状の揺動部材１２０と、前記揺動部材１２０の他端に回転自在に配設されたローラ状部材１２１とから成り、前記第２種非電動役物１２が閉鎖状態の時には、前記ローラ状部材１２１が前記第２のガイド部材５５の下端に当接して図中下方に押圧されるので、前記ローラ状部材１２１を一端に支持する前記揺動部材１２０が他端を中心として図中時計方向に揺動するので、前記揺動部材１２０と非接触の接点部材１２２が揺動してきた前記揺動部材１２０に接触して図中下方へ押圧され、前記第２種非電動役物１２が閉鎖状態であることを検知するように構成されている。
【０１１７】
なお、図１９（ｂ）に示されるように、前記第２種非電動役物１２が拡開状態の時には、前記ローラ状部材１２１が図中反時計方向に揺動した前記第２のガイド部材５５と非接触状態となるので、前記ローラ状部材１２１を一端に支持する前記揺動部材１２０が他端を中心として図中反時計方向に揺動するので、前記揺動部材１２０と接点部材１２２は非接触状態を維持して、前記第２種非電動役物１２が拡開状態であることを検知するように構成されている。
【０１１８】
また、前記開閉状態検知装置１１３ないし１１５については前記開閉状態検知装置１１２と同様の構成であるため説明を省略する。
【０１１９】
前記入賞判定テーブル９３は、図２１に示されるように、前記第２種非電動役物１２ないし１５の開閉状態の情報と、該前記第２種非電動役物１２ないし１５の各開閉状態の情報と対応させた前記回転式報知役物９９２による報知状態の情報により構成され、予め前記ＲＯＭ８２に格納されている。
【０１２０】
以下において、本第４実施例における前記回転式報知役物９９２によって報知される役物の動作態様の決定制御を説明する。
【０１２１】
遊技が開始された後、前記左ゲート３０に遊技球が進入した場合には、前記第２種非電動役物１２および前記第２種非電動役物１３が拡開状態にあり、前記第２種非電動役物１４および前記第２種非電動役物１５は閉鎖状態にある。なお、以下においてはこの状態を「状態１」として説明する。
【０１２２】
ここで前記開閉状態検知手段９２において検知された前記第２種非電動役物１２ないし１５の開閉状態のデータに基づき、図２１に示される前記入賞判定テーブル９３の上から４行目を参照して、遊技者にとって有利な入賞順序となる前記第２種非電動役物１２および１３に対応する前記回転式報知役物９９２の表示面３が報知される。
【０１２３】
上記した「状態１」において、前記第２種非電動役物１２の前記左誘導部材および右誘導部材に誘導されて遊技球が入賞した場合には、前記第２種非電動役物１３および前記第２種非電動役物１５が拡開状態にあり、前記第２種非電動役物１２および前記第２種非電動役物１４は閉鎖状態にある。なお、以下においてはこの状態を「状態２」として説明する。
【０１２４】
ここで上記した「状態２」において、前記開閉状態検知手段９２において検知された前記第２種非電動役物１２ないし１５の開閉状態のデータに基づき、図２１に示される前記入賞判定テーブル９３の上から１１行目を参照して、遊技者にとって有利な入賞順序となる前記第２種非電動役物１５に対応する前記回転式報知役物９９２の表示面１が報知される。
【０１２５】
本第４実施例のパチンコ遊技機においては、上述したように前記第２種非電動役物１２ないし１５の前記左誘導部材および右誘導部材に誘導されて遊技球が入賞して前記入賞検知スイッチ２２ないし２５において該入賞が検知される毎に、上記した前記入賞判定テーブル９３を参照して前記回転式報知役物９９２によって報知する前記回転式報知役物９９２の表示面を選択する。
【０１２６】
以下、上記構成および作用の本第４実施例のパチンコ遊技機の効果について説明する。
【０１２７】
上記作用を奏する第４実施例のパチンコ遊技機は、前記開閉状態検知手段９２により前記第２種非電動役物１２ないし１５の開閉状態を検知して、前記開閉状態検知手段９２により検知された開閉状態に基づいて、前前記第２種非電動役物１２ないし１５への入賞において遊技者にとって有利な入賞となる少なくとも１つの前記第２種非電動役物１２ないし１５を前記回転式報知役物９９２の動作態様によって報知するので、遊技者が報知された役物の動作態様によって前記第２種非電動役物１２ないし１５への入賞において遊技者にとって有利な入賞となる少なくとも１つの前記第２種非電動役物１２ないし１５を知ることができるという効果を奏する。
【０１２８】
上記作用を奏する第４実施例のパチンコ遊技機は、前記回転式報知役物９９２が、前記開閉状態検知手段９２により検知された前記第２種非電動役物１２ないし１５の開閉状態に基づいて構成される入賞判定テーブル９３に従って、前記第２種非電動役物１２ないし１５への入賞において遊技者にとって有利な入賞となる少なくとも１つの前記第２種非電動役物１２ないし１５を示唆する異なった表示面を表示すべく左右方向に回転動作する回転式報知役物９９２の動作態様によって報知するので、報知された役物の動作態様によって、遊技者が前記第２種非電動役物１２ないし１５への入賞において遊技者にとって有利な入賞となる少なくとも１つの前記第２種非電動役物１２ないし１５を知ることができるという効果を奏する。
【０１２９】
また、上記作用を奏する第４実施例のパチンコ遊技機は、前記第２種非電動役物１２ないし１５への入賞において遊技者にとって有利な入賞となる少なくとも１つの前記第２種非電動役物１２ないし１５を示唆するので、遊技者にとって有利となる入賞順序の学習を可能にすることができるので、遊技者が遊技を行いながら興味を持つことにより自然に遊技方法を習得することができるという効果を奏する。
【０１３０】
本第４実施例のパチンコ遊技機は、前記回転式報知役物９９２が、役物の回転動作または揺動動作によって前記第２種非電動役物１２ないし１５への入賞において遊技者にとって有利な入賞となる少なくとも１つの入賞装置を報知するので、遊技者が報知された役物の動作態様により興趣をもって遊技者にとって有利な入賞となる少なくとも１つの前記第２種非電動役物１２ないし１５を知ることができるという効果を奏する。
【０１３１】
本第４実施例のパチンコ遊技機は、前記遊技盤２００の略上方中央部に前記回転式報知役物９９２の表示面を表示する前記クリアプレート９８２を配設したので、遊技者は所望する流下経路へ遊技球を打ち出すための操作ハンドルの調整を行いながら遊技者にとって有利な入賞となる少なくとも１つの前記第２種非電動役物１２ないし１５を示唆する前記回転式報知役物９９２の表示面を確認することができるという効果を奏する。
【実施例５】
【０１３２】
本第５実施例のパチンコ遊技機は、前記第１発明、第５発明ないし第８発明、第１４発明および第１５発明の実施例であり、前記第２種非電動役物１２ないし１５の開閉状態を検知する開閉状態検知手段９２を備え、前記開閉状態検知手段９２による前記第２種非電動役物１２ないし１５の開閉状態の検知出力に基づいて遊技者にとって有利な入賞順序となる少なくとも１つの前記第２種非電動役物１２ないし１５を判定する判定手段９４における判定結果に基づいて、異なった表示面を表示すべく左右方向に回転動作する回転式報知役物９９２の動作態様、または異なった覗き穴において報知図柄を表示すべく上下方向に直線動作する報知役物９９３の動作態様の２種類の報知態様を備えた点が、上述の第１実施例ないし第４実施例との主な相違点である。
【０１３３】
また、本第５実施例のパチンコ遊技機は、左ゲート３０および右ゲート３２に遊技球が進入したことをゲート進入検知スイッチ２８ａおよび２８ｃによって検知した時には、報知役物９９３を用いた報知態様の種類を選択して、中ゲート３１に遊技球が進入したことをゲート進入検知スイッチ２８ｂによって検知した時には、上述の第４実施例に記載した前記回転式報知役物９９２を用いた報知態様の種類を選択することを特徴とする。
【０１３４】
前記報知役物９９３は上述の第１実施例において採用した前記報知役物９９の○の形が描かれた報知図柄９７ａを←の形が描かれた報知図柄に変更したものであり、その他の構成要件は同様であるため説明を省略する。なお、前記報知役物９９３がソレノイドの駆動力によって高さＭの位置に移動した場合には、前記←の形が描かれた報知図柄が前記覗き穴９８ａから臨むことにより、遊技者にとって次に狙うべきポイントとなる前記左ゲート３０、中ゲート３１および右ゲート３２を示唆できるようになる。
【０１３５】
第５実施例のパチンコ遊技機は、図１９ないし図２４に示されるように前記第２種非電動役物１２ないし１５の開閉状態を検知する開閉状態検知手段９２と、前記開閉状態検知手段９２における検知出力に基づいて構成される入賞判定テーブル９３３に従って、前記第２種非電動役物１２ないし１５への入賞において遊技者にとって有利となる前記第２種非電動役物１２ないし１５を判定する判定手段９４と、前記判定手段９４における判定結果に基づいて異なった覗き穴において報知図柄が表示されるように上下方向に直線動作する報知役物９９３の動作態様、または異なった表示面を表示すべく左右方向に回転動作する回転式報知役物９９２の動作態様を報知する報知手段９と、遊技球の進入によって前記第２種非電動役物１２ないし１５の一部を拡開状態へと変換する左ゲート３０、中ゲート３１および右ゲート３２と、該左ゲート３０への遊技球の進入を検知するゲート進入スイッチ２８ａ、該中ゲート３１への遊技球の進入を検知するゲート進入スイッチ２８ｂおよび該右ゲート３２への遊技球の進入を検知するゲート進入スイッチ２８ｃとを備えている。なお、前記第２種非電動役物１２の正面部にはじゃんけんゲームにおいて「グー」として知られる図柄が描かれ、前記第２種非電動役物１３の正面部にはじゃんけんゲームにおいて「チョキ」として知られる図柄が描かれ、前記第２種非電動役物１４の正面部にはじゃんけんゲームにおいて「パー」として知られる図柄が描かれ、前記第２種非電動役物１５の正面部にはＶの字状の図柄が描かれている。
【０１３６】
前記開閉状態検知手段９２は、上述した第４実施例と同様の作用および構成であるため説明を省略する。
【０１３７】
前記入賞判定テーブル９３３は、図２４に示されるように前記左ゲート３０および右ゲート３２に遊技球が進入したことが検知された時に選択されて、前記第２種非電動役物１２ないし１５の開閉状態の情報と、該前記第２種非電動役物１２ないし１５の各開閉状態の情報と対応させた前記報知役物９９３による報知状態の情報により構成されたテーブルＡと、図２１に示されるように前記中ゲート３１に遊技球が進入したことが検知された時に選択されて、前記第２種非電動役物１２ないし１５の開閉状態の情報と、該前記第２種非電動役物１２ないし１５の各開閉状態の情報と対応させた前記回転式報知役物９９２による報知状態の情報により構成されたテーブルＢとから成り、予め前記ＲＯＭ８２に格納されている。
【０１３８】
以下において、本第５実施例における前記報知役物９９３または回転式報知役物９９２によって報知される役物の動作態様の決定制御を説明する。
【０１３９】
最初に、前記左ゲート３０に遊技球が進入したことをゲート進入検知スイッチ２８ａによって検知した時には、前記開閉状態検知手段９２において検知された前記第２種非電動役物１２ないし１５の開閉状態のデータに基づき、図２４に示される前記入賞判定テーブル９３３のテーブルＡの上から４行目を参照して、遊技者にとって有利な入賞順序となる前記第２種非電動役物１２および１３に対応する前記覗き穴９８ｂに←の形が描かれた報知図柄を臨ませるべく前記ソレノイドの駆動力によって前記報知役物９９３を高さＬの位置まで移動させる。
【０１４０】
また、上述した「状態１」において、前記第２種非電動役物１２の前記左誘導部材および右誘導部材に誘導されて遊技球が入賞した場合には、前記第２種非電動役物１３および前記第２種非電動役物１５が拡開状態にあり、前記第２種非電動役物１２および前記第２種非電動役物１４は閉鎖状態にある。
【０１４１】
ここで前記開閉状態検知手段９２において検知された前記第２種非電動役物１２ないし１５の開閉状態のデータに基づき、図２４に示される前記入賞判定テーブル９３３のテーブルＡの上から１１行目を参照して、遊技者にとって有利な入賞順序となる前記第２種非電動役物１５に対応する前記覗き穴９８ｃに←の形が描かれた報知図柄を臨ませるべく前記ソレノイドの駆動力によって前記報知役物９９３を高さＨの位置まで移動させる。
【０１４２】
次に、前記中ゲート３１に遊技球が進入したことをゲート進入検知スイッチ２８ｂによって検知した時には、前記開閉状態検知手段９２において検知された前記第２種非電動役物１２ないし１５の開閉状態のデータに基づき、図２１に示される前記入賞判定テーブル９３３のテーブルＢの上から２行目を参照して、図２０に示される遊技者にとって有利な入賞順序となる前記第２種非電動役物１２ないし１４を示唆する表示面２を前記回転式報知役物９９２において報知する。
【０１４３】
また、前記中ゲート３１に遊技球が進入したことをゲート進入検知スイッチ２８ｂによって検知した後に、前記第２種非電動役物１２の前記左誘導部材および右誘導部材に誘導されて遊技球が入賞した場合には、前記第２種非電動役物１３、前記第２種非電動役物１４および前記第２種非電動役物１５が拡開状態にあり、前記第２種非電動役物１２は閉鎖状態にある。
【０１４４】
ここで前記開閉状態検知手段９２において検知された前記第２種非電動役物１２ないし１５の開閉状態のデータに基づき、図２１に示される前記入賞判定テーブル９３３のテーブルＢの上から９行目を参照して、図２０に示される遊技者にとって有利な入賞順序となる前記第２種非電動役物１５を示唆する表示面１を前記回転式報知役物９９２において報知する。
【０１４５】
本第５実施例のパチンコ遊技機においては、上述したように前記第２種非電動役物１２ないし１５の前記左誘導部材および右誘導部材に誘導されて遊技球が入賞して前記入賞検知スイッチ２２ないし２５において該入賞が検知される毎に、上記した前記入賞判定テーブル９３３を参照して前記回転式報知役物９９２または報知役物９９３によって報知する役物の動作態様を選択する。また、前記左ゲート３０、中ゲート３１または右ゲート３２に遊技球が進入して前記ゲート進入検知スイッチ２８ａないし２８ｃにおいて該進入が検知される毎に、前記回転式報知役物９９２または報知役物９９３において行なわれる報知態様の種類を選択する。
【０１４６】
以下、上記構成および作用の本第５実施例のパチンコ遊技機の効果について説明する。
【０１４７】
上記作用を奏する第５実施例のパチンコ遊技機は、前記開閉状態検知手段９２により前記第２種非電動役物１２ないし１５の開閉状態を検知して、前記開閉状態検知手段９２により検知された開閉状態に基づいて、前記回転式報知役物９９２または報知役物９９３により前記第２種非電動役物１２ないし１５への入賞において遊技者にとって有利な入賞となる少なくとも１つの前記第２種非電動役物１２ないし１５を役物の動作態様によって報知するので、遊技者が報知された役物の動作態様によって前記第２種非電動役物１２ないし１５への入賞において遊技者にとって有利な入賞となる少なくとも１つの前記第２種非電動役物１２ないし１５を知ることができるという効果を奏する。
【０１４８】
上記作用を奏する第５実施例のパチンコ遊技機は、前記回転式報知役物９９２または報知役物９９３が、前記開閉状態検知手段９２により検知された前記第２種非電動役物１２ないし１５の開閉状態に基づいて構成される入賞判定テーブル９３３に従って、前記第２種非電動役物１２ないし１５への入賞において遊技者にとって有利な入賞となる少なくとも１つの前記第２種非電動役物１２ないし１５を示唆する役物の動作態様によって報知するので、遊技者が報知された役物の動作態様によって前記第２種非電動役物１２ないし１５への入賞において遊技者にとって有利な入賞となる少なくとも１つの前記第２種非電動役物１２ないし１５を知ることができるという効果を奏する。
【０１４９】
また、上記作用を奏する第５実施例のパチンコ遊技機は、前記第２種非電動役物１２ないし１５への入賞において遊技者にとって有利な入賞となる少なくとも１つの前記第２種非電動役物１２ないし１５を示唆するので、遊技者にとって有利となる入賞順序の学習を可能にすることができるので、遊技者が遊技を行いながら興趣を持って遊技方法を習得することができるという効果を奏する。
【０１５０】
上記作用を奏する第５実施例のパチンコ遊技機は、前記報知態様設定手段が、前記複数の前記第２種非電動役物１２ないし１５への入賞において遊技者にとって有利な入賞となる少なくとも１つの前記第２種非電動役物１２ないし１５を示唆する役物の動作態様の種類を設定するので、前記報知態様設定手段の作動を契機として報知する役物の動作態様の種類を変更するため、遊技者に興趣のある遊技を提供することができるという効果を奏する。
【０１５１】
上記作用を奏する第５実施例のパチンコ遊技機は、前記左ゲート３０、中ゲート３１または右ゲート３２への遊技球の進入のタイミングに同期して前記報知態様設定手段が作動するので、前記報知手段において報知される役物の動作態様の種類を明確にすることができるという効果を奏する。
【０１５２】
本第５実施例のパチンコ遊技機は、前記回転式報知役物９９２が、役物の回転動作または揺動動作によって前記第２種非電動役物１２ないし１５への入賞において遊技者にとって有利な入賞となる少なくとも１つの入賞装置を報知するので、遊技者が報知された役物の動作態様により興趣をもって遊技者にとって有利な入賞となる少なくとも１つの前記第２種非電動役物１２ないし１５を知ることができるという効果を奏する。
【０１５３】
本第５実施例のパチンコ遊技機は、前記報知役物９９３が、役物の直線動作または往復動作によって前記第２種非電動役物１２ないし１５への入賞において遊技者にとって有利な入賞となる少なくとも１つの入賞装置を報知するので、遊技者が報知された役物の動作態様により興趣をもって遊技者にとって有利な入賞となる少なくとも１つの前記第２種非電動役物１２ないし１５を知ることができるという効果を奏する。
【０１５４】
本第５実施例のパチンコ遊技機は、前記遊技盤の略上方中央部に前記回転式報知役物９９２の表示面を表示する前記クリアプレート９８２を配設したので、遊技者は所望する流下経路へ遊技球を打ち出すための操作ハンドルの調整を行いながら遊技者にとって有利な入賞となる少なくとも１つの前記第２種非電動役物１２ないし１５を示唆する前記回転式報知役物９９２の表示面を確認することができるという効果を奏する。
【０１５５】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１５６】
前記第１実施例ないし第５実施例のパチンコ遊技機においては、前記報知手段９の一例として前記報知役物９９、９９３、９９４および回転式報知役物９９２および９９５を前記遊技盤に配設した形態を採用したが、本発明はこれに限定されるものではなく、パチンコ遊技機の外枠などの遊技者が視認可能な位置において報知手段を配設する構成を採ることも出来るものであり、どのような位置、装置または形態によって報知する役物の動作態様を発生させるかについては、本発明の効果を実現するにあたり有効的に適宜選択できるものであり、上述した前記報知役物９９、９９３、９９４および回転式報知役物９９２および９９５によるものに限定されない。
【０１５７】
第１実施例ないし第５実施例のパチンコ遊技機において、前記報知図柄または前記回転式報知役物９９２の表示面に描かれた図柄を矢印、○または図２０に示されるような形状としたが、本発明はこれに限定されるものではなく、効果的な報知演出を実現するものであれば動物、植物、キャラクター、文字等の形状を適宜選択して用いることが出来る。
【０１５８】
前記第１実施例ないし第５実施例に記載したパチンコ遊技機においては、一例として前記報知役物９９、９９３、９９４および回転式報知役物９９２および９９５によって実現される役物の動作態様を用いての報知形態を採用したが、本発明はこれに限定されるものではなくスピーカ等を用いた音情報による報知形態、ＬＥＤまたはドット表示等を用いた光情報により実現される報知形態等を本発明の効果を実現するにあたり有効的に適宜組み合わせることが出来るものである。
【０１５９】
第１実施例のパチンコ遊技機においては、前記報知役物９９の報知図柄９７ａないし９７ｃが表示される前記覗き穴９８ａないし９８ｃを前記遊技盤１００の右側に配設し、第４実施例においては前記回転式報知役物９９２を遊技者から視認可能とする前記クリアプレート９８２を前記遊技盤２００の略上方中央部に配設する構成としたが、本発明はこれに限定されるものではなく、遊技者にとって有利となる前記第２種非電動役物１２ないし１５を報知する報知役物をパチンコ遊技機のどの箇所に配設するかについては本発明の効果を実現するにあたり有効的に適宜選択出来るものである。
【０１６０】
前記第１実施例のパチンコ遊技機においては、一例として前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明はこれに限定されるものではなく、前記第１種非電動役物１０および１１、前記第２種非電動役物１２ないし１５および前記入賞口１６および１７の何れの組み合わせに対して共通の入賞検知スイッチを備えるかは、本発明の効果を実現するにあたり有効的に適宜選択できるものである。
【０１６１】
前記第１実施例のパチンコ遊技機においては、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明を第４実施例および第５実施例に適用することができる。
【０１６２】
前記第２実施例のパチンコ遊技機においては、遊技球の自重により作動して揺動動作する前記報知役物９９４を用いた形態を説明したが、本発明はこれに限定されるものではなく、図１５に示されるような遊技球の自重により作動して揺動動作する報知役物９９４´を用いることが出来る。なお、前記報知役物９９４´を用いた場合には、前記報知役物９９４と比較して遊技球の自重により揺動する揺動範囲が狭いため前記報知役物９９４´に対して必要となるスペースは比較的少なくなるため、前記報知役物をシンプルな構成にするとともにパチンコ遊技機の設計の自由度が高まるという効果を奏する。
【０１６３】
前記第３実施例のパチンコ遊技機においては、遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構と、入賞装置へ入賞した遊技球の動きに基づき作動して、役物の動作態様によって、前記複数の入賞装置への入賞において遊技者にとって有利な入賞となる次に入賞すべき少なくとも１つの入賞装置を示唆することにより報知する例について説明したが、音態様または光表示態様または機械的表示態様、電気的表示態様等の物理的表示態様によって報知することも可能であり、役物において音態様または光表示態様によって報知することも可能である。
【０１６４】
前記第３実施例のパチンコ遊技機においては、前記回転連絡機構７を用いることにより遊技球導出路２５２または２９２を通った遊技球の動きに基づいて動く前記遊技盤１００の下方の裏側に配設された回転部材９９６と離れた位置の前記遊技盤１００の上方中央部の前記クリアプレート９８２の裏側に配設された前記回転式報知役物９９５によって報知する構成としたが、本発明はこの形態に限定されるものではなく、報知役物を前記遊技盤１００の下方または下方の裏側に配設された回転部材９９６によってその形態を実施することにより前記回転連絡機構７を用いることなく遊技者への報知を実現するシンプルな構成の実施形態を採用することが出来る。
【０１６５】
前記第４実施例および第５実施例のパチンコ遊技機においては、報知する役物の動作態様を選択する前記入賞判定テーブル９３および９３３を図１８および図２２に示されるようにメイン制御基板に備えた構成としたが、前記入賞判定テーブル９３および９３３を役物動作制御基板に格納して、前記開閉状態検知手段９２等の検知出力に従い役物動作制御基板においてメイン制御基板とは独立して報知する役物の動作態様を選択する構成とすることが出来る。
【０１６６】
上述した第４実施例および第５実施例のパチンコ遊技機においては、前記第２種非電動役物１２ないし１５には、前記回転式報知役物９９２によって報知する表示面を構成する図柄と前記第２種非電動役物１２ないし１５を対応させる図柄が描かれた構成としたが、本発明はこれに限定されるものではなく、該第２種非電動役物１２ないし１５を対応させる図柄を模った形に形成する形態を採用することができる。
【０１６７】
上述した第４実施例および第５実施例のパチンコ遊技機においては、前記回転式報知役物９９２の形状については図２３（ｂ）に示されるような、正９角形状としたが、本発明はこれに限定されるものではなく、図２３（ｃ）に示されるような円形状の形状、その他楕円形状等を採用することが出来るとともに、回転式報知役物の形状については本発明の効果を実現するにあたり有効的に適宜選択出来るものである。
【０１６８】
前記第４実施例および第５実施例のパチンコ遊技機においては、前記回転式報知役物９９２の回転動作方向を表示面１および９を表示するときには右回転するとともに、２ないし８を表示するときには左回転するものとしたが、本発明はこれに限定されるものではなく、どちらか一方向の回転方向を採用することも出来るし、遊技状況に応じて回転方向を設定する形態を採用することが出来る。また、前記回転式報知役物９９２は左右方向に回転する形態を採用したが、上下方向に回転する形態を採用することも出来るものであり、回転する方向は左右方向または上下方向に限定されるものではなく、様々な回転方向を採用することが出来る。
【０１６９】
前記第５実施例のパチンコ遊技機においては、前記左ゲート３０、中ゲート３１または右ゲート３２に遊技球が進入した時に選択される役物の動作態様の種類を一例として２種類備える構成としたが、本発明はこれに限定されるものではなく該役物の動作態様の種類を複数種類備え、該複数の役物の動作態様の種類を遊技状況に応じて選択的に用いるものであればよい。
【０１７０】
第５実施例のパチンコ遊技機においては、遊技球が前記左ゲート３０、中ゲート３１または右ゲート３２のいずれに進入するかに応じて役物の動作態様の種類を選択する構成としたが、本発明はこれに限定されるものではなく、前記入賞検知スイッチ２０ないし２７および２９のいずれかにおいて検知出力が出された時に役物の動作態様の種類を選択する形態を採用することができる。また、遊技者が操作可能な操作ボタンを本発明のパチンコ遊技機に配設して、該操作ボタンを操作することにより役物の動作態様の種類を選択する形態を採用することもできる。
【産業上の利用可能性】
【０１７１】
遊技球の入球しやすい拡開状態と、遊技球の入球しにくい閉鎖状態を備えた複数の入賞装置を有するパチンコ遊技機において、遊技球が複数の進入穴へ進入した時および入賞装置へ入賞した時に、入賞装置の拡開状態と閉鎖状態とを変換する変換機構と、複数の進入穴および入賞装置のいずれか１つに進入および入賞した場合においては、役物の動作態様によって、遊技者にとって有利な入賞となる次に入賞すべき少なくとも１つの入賞装置を示唆することにより報知する報知手段から成るように構成され、遊技者が報知された役物の動作態様により前記複数の入賞装置への入賞において遊技者にとって有利な入賞となる次に入賞すべき少なくとも１つの入賞装置を知ることができるという用途に適用できる。
【図面の簡単な説明】
【０１７２】
【図１】本発明の第１実施例ないし第５実施例パチンコ遊技機を示す正面図である。
【図２】本第１実施例のパチンコ遊技機の遊技盤面を示す正面図である。
【図３】本第１実施例のパチンコ遊技機の遊技盤裏面に配設された、遊技球導出路、変換機構、入賞検知スイッチおよび報知手段を示す裏面図である。
【図４】本第１実施例ないし第５実施例のパチンコ遊技機の第１種非電動役物および変換機構を示す部分拡大正面図および部分拡大斜視図である。
【図５】本第１実施例ないし第５実施例のパチンコ遊技機の第１種非電動役物および変換機構を示す部分拡大側面図および部分拡大正面図である。
【図６】本第１実施例ないし第５実施例のパチンコ遊技機の第２種非電動役物および変換機構を示す部分拡大正面図および部分拡大斜視図である。
【図７】本第１実施例ないし第５実施例のパチンコ遊技機の第２種非電動役物および変換機構を示す部分拡大側面図および部分拡大正面図である。
【図８】本第１実施例ないし第５実施例のパチンコ遊技機の第２種非電動役物および変換機構の要部を示す部分拡大正面図である。
【図９】本第１実施例ないし第５実施例のパチンコ遊技機の第２種非電動役物および変換機構の要部を示す部分拡大上面図である。
【図１０】本第１実施例ないし第５実施例のパチンコ遊技機の第２種非電動役物、左ゲート、中ゲート、右ゲート、下ゲートおよび変換機構の要部を示す部分拡大正面図および部分拡大断面図である。
【図１１】本第１実施例のパチンコ遊技機における報知する役物の動作態様を選択して報知するための制御ブロック図である。
【図１２】本第１実施例のパチンコ遊技機において、入賞検知スイッチと報知される役物の動作態様の対応関係を示す説明図である。
【図１３】本発明の第２実施例のパチンコ遊技機の遊技盤裏面に配設された、遊技球導出路、変換機構、入賞検知スイッチおよび報知手段を示す裏面図である。
【図１４】本第２実施例のパチンコ遊技機における、報知手段の動作機構を示した説明図である。
【図１５】本第２実施例の変形例のパチンコ遊技機における、報知手段の動作機構を示した説明図である。
【図１６】本発明の第３実施例および第４実施例のパチンコ遊技機の遊技盤面を示す正面図である。
【図１７】本第３実施例のパチンコ遊技機における、報知手段を示す正面図および側面図である。
【図１８】本発明の第４実施例のパチンコ遊技機における報知する役物の動作態様を選択して報知するための制御ブロック図である。
【図１９】本第４実施例および第５実施例のパチンコ遊技機における、第２種非電動役物と開閉状態検知装置の位置関係を示す部分拡大側面図である。
【図２０】本第４実施例の入賞判定テーブルおよび第５実施例の入賞判定テーブルＢにより選択され、回転式報知役物において報知される表示面の詳細を示した説明図である。
【図２１】本第４実施例の入賞判定テーブルおよび第５実施例の入賞判定テーブルＢの詳細を示した説明図である。
【図２２】本発明の第５実施例のパチンコ遊技機における報知する役物の動作態様を選択して報知するための制御ブロック図である。
【図２３】本第５実施例のパチンコ遊技機の遊技盤裏面に配設された、遊技球導出路、変換機構、入賞検知スイッチおよび報知手段を示す裏面図および報知手段を示す上面図である。
【図２４】本第５実施例の入賞判定テーブルＡの詳細を示した説明図である。
【図２５】従来のパチンコ遊技機において、大当り予告を実施する役物、ゲーム表示機およびワープ球センサを示した正面図。
【符号の説明】
【０１７３】
１  変換機構
２  入賞検知手段
７  回転連絡機構
９  報知手段
１０ないし１１  第１種非電動役物
１２ないし１５  第２種非電動役物
１０Ｔないし１５Ｔ  変換機構
１６ないし１７  入賞口
２０ないし２７および２９  入賞検知スイッチ
２８ａｎないし２８ｄ  ゲート進入検知スイッチ
３０  左ゲート
３１  中ゲート
３２  右ゲート
３３  下ゲート
４０および５０  左誘導部材
４１および５１  右誘導部材
４２および５２  ロック部材
４３および５３  第１のガイド部材
４４および５４  支持部材
４５および５５  第２のガイド部材
５６  連絡棒
５７  第１の左アーム
５８  第２の左アーム
５９  突出部材
８０  メイン制御基板
８１  ＣＰＵ
８２  ＲＯＭ
８３  ＲＡＭ
８４  役物動作制御基板
８５  払出制御基板
９２  開閉状態検知手段
９３  入賞判定テーブル
９４  判定手段
９６  円柱状のロッド部材
９７ａないし９７ｃ、９７２ｂ、９７２ｃ、９７５ａおよび９７５ｂ  報知図柄
９８ａないし９８ｃ  覗き穴
９９、９９３および９９４  報知役物
９９Ｓ  ソレノイド
１００および２００  遊技盤
１１２ないし１１５  開閉状態検知装置
１２０  揺動部材
１２１  ローラ状部材
１２２  接点部材
２０１  支持部材
２０２、２１２、２５２、２６２、２７２、２９２および３０２  遊技球導出路
２０３  固定部材
２５２Ｐおよび２９２Ｐ  落下点
２５２Ｃおよび２９２Ｃ  受容部材
２５２Ｓおよび２９２Ｓ  制止部材
２５２Ｄおよび２９２Ｄ  下流側部位
９８２  クリアプレート
９８２Ｍ  ステッピングモータ
９９２および９９５  回転式報知役物
９９６  回転部材
９９６Ｇ、９９７Ｇ、９９８Ｇ、９９９Ｇ、１０００Ｇおよび１００１Ｇ  回転ギア
９９６Ｂ、９９８Ｂおよび１０００Ｂ  回転ベルト
Ｂ  バランスウェイト
Ｓ  賞球払出スイッチ
ＣＬ  閉鎖落下点
ＯＰ  拡開落下点
ＥＮ  遊技球ループ入口
ＥＸ  遊技球ループ出口
【図１】
2010125081.tif 000003
【図２】
2010125081.tif 000004
【図３】
2010125081.tif 000005
【図４】
2010125081.tif 000006
【図５】
2010125081.tif 000007
【図６】
2010125081.tif 000008
【図７】
2010125081.tif 000009
【図８】
2010125081.tif 000010
【図９】
2010125081.tif 000011
【図１０】
2010125081.tif 000012
【図１１】
2010125081.tif 000013
【図１２】
2010125081.tif 000014
【図１３】
2010125081.tif 000015
【図１４】
2010125081.tif 000016
【図１５】
2010125081.tif 000017
【図１６】
2010125081.tif 000018
【図１７】
2010125081.tif 000019
【図１８】
2010125081.tif 000020
【図１９】
2010125081.tif 000021
【図２０】
2010125081.tif 000022
【図２１】
2010125081.tif 000023
【図２２】
2010125081.tif 000024
【図２３】
2010125081.tif 000025
【図２４】
2010125081.tif 000026
【図２５】
2010125081.tif 000027